(57)【特許請求の範囲】
【請求項１】
折板屋根材をタイトフレームにより保持して形成される折板屋根であって、折板屋根材は谷部の両側に斜め上方に突出する山部半体を有すると共に谷部の略中央部に嵌合係止部を有し、タイトフレームは断面逆Ｕ字状の固定突部と固定突部の両側に突出する固定部とを有すると共に固定部は上方に突出する被嵌合係止部を有し、隣接するタイトフレームの被嵌合係止部を近接させた状態で折板屋根材の嵌合係止部を嵌合して成ることを特徴とする折板屋根。
【請求項２】
折板屋根材を保持するためのタイトフレームであって、断面逆Ｕ字状の固定突部の両側に固定部を突出して形成し、折板屋根材の谷部の略中央部に形成した嵌合係止部を嵌合するための被嵌合係止部を固定部に形成し、隣接させた固定部の被嵌合係止部同士を近接自在に形成して成ることを特徴とするタイトフレーム。
【発明の詳細な説明】
【技術分野】
【０００１】
本発明は、家屋や工場などの屋根を構成する折板屋根及びこの折板屋根を形成する際に用いられるタイトフレームに関するものである。
【背景技術】
【０００２】
従来より、屋根下地にタイトフレームを取り付けると共にこのタイトフレームに折板屋根材を取り付けて保持させることによって、折板屋根を形成することが行われているが、折板屋根材をその谷部においても屋根下地に固定して取付強度を高めることが提案されている（例えば、特許文献１参照）。
【特許文献１】特開平１０−１８３８８４号公報
【発明の開示】
【発明が解決しようとする課題】
【０００３】
しかし、上記特許文献１のものでは、金属成形板を下地部材に取り付けるための固定具の中間部分に一対の中間固定部を曲げ加工等により形成しているため、中間固定部の形成が難しいという問題があった。
【０００４】
本発明は上記の点に鑑みてなされたものであり、加工が簡単でコストを抑えることができるにもかかわらず、負圧荷重に対する折板屋根材の取付強度を高めることができる折板屋根、及びこれに用いられるタイトフレームを提供することを目的とするものである。
【課題を解決するための手段】
【０００５】
本発明の請求項１に係る折板屋根は、折板屋根材ＡをタイトフレームＢにより保持して形成される折板屋根であって、折板屋根材Ａは谷部１の両側に斜め上方に突出する山部半体２、２を有すると共に谷部１の略中央部に嵌合係止部９を有し、タイトフレームＢは断面逆Ｕ字状の固定突部６と固定突部６の両側に突出する固定部１６とを有すると共に固定部１６は上方に突出する被嵌合係止部１０を有し、隣接するタイトフレームＢの被嵌合係止部１０、１０を近接させた状態で折板屋根材Ａの嵌合係止部９を嵌合して成ることを特徴とするものである。
【０００７】
本発明の請求項２に係るタイトフレームＢは、折板屋根材Ａを保持するためのタイトフレームＢであって、断面逆Ｕ字状の固定突部６の両側に固定部１６、１６を突出して形成し、折板屋根材Ａの谷部１の略中央部に形成した嵌合係止部９を嵌合するための被嵌合係止部１０、１０を固定部１６、１６に形成し、隣接させた固定部１６、１６の被嵌合係止部１０、１０同士を近接自在に形成して成ることを特徴とするものである。
【発明の効果】
【０００８】
請求項１の発明は、嵌合係止部９を被嵌合係止部１０に嵌合して弾性的に係止することによって、折板屋根材Ａの谷部１をタイトフレームＢに連結して保持することができ、屋根下地に対する折板屋根材Ａの取付強度を高めることができるものである。しかも、折板屋根材Ａの谷部１の略中央部でタイトフレームＢ、Ｂが左右に分割し、被嵌合係止部１０、１０が合掌形状に接合するなどして近接されているので、折板屋根材Ａに負圧の力が作用した場合に、近接した状態の被嵌合係止部１０、１０を互いに競り合わせることができ、負圧荷重に対する折板屋根材Ａの取付強度を高めることができるものである。また、左右に分割されたタイトフレームＢの被嵌合係止部１０、１０を接合するので、タイトフレームＢの中間部分に複数の被嵌合係止部１０を形成する必要が無く、タイトフレームＢの加工が簡単でコストを抑えることができるものである。
【００１０】
請求項２の発明は、嵌合係止部９を被嵌合係止部１０に嵌合して弾性的に係止することによって、折板屋根材Ａの谷部１を連結して保持することができ、屋根下地に対する折板屋根材Ａの取付強度を高めることができるものである。しかも、折板屋根材Ａの谷部１の略中央部で左右に分割し、被嵌合係止部１０、１０が合掌形状に接合するなどして近接されているので、折板屋根材Ａに負圧の力が作用した場合に、近接した状態の被嵌合係止部１０、１０が互いに競り合わせることができ、負圧荷重に対する折板屋根材Ａの取付強度を高めることができるものである。また、左右に分割された被嵌合係止部１０、１０を接合するので、中間部分に複数の被嵌合係止部１０を形成する必要が無く、加工が簡単でコストを抑えることができるものである。
【発明を実施するための最良の形態】
【００１１】
以下、本発明を実施するための最良の形態を説明する。
【００１２】
本発明の折板屋根は、折板屋根材ＡをタイトフレームＢにより保持して形成されるものである。
【００１３】
図２に示すように、折板屋根材Ａは塗装鋼板や亜鉛めっき鋼板などの金属板を折り曲げ加工して形成されるものであって、屋根の傾斜方向（流れ方向）に長尺に形成されるものである。また、折板屋根材Ａは断面略Ｕ字状に形成されており、谷部１と、その両方の側端部から斜め上方に向かって突出する山部半体２、２とを備えて形成されている。谷部１の幅方向（折板屋根材Ａの長尺方向と直交する方向）の略中央部には嵌合係止部９が折板屋根材Ａの長手方向の略全長にわたって設けられている。嵌合係止部９は表面側（上側）に向かって突出するように折り曲げ加工することにより形成するものであり、下面が開口する断面略逆Ｕ字状に形成するものである。また、嵌合係止部９の下面開口はその幅寸法がやや狭められるように絞られており、その下面開口縁部は係止部９ａ、９ａとして形成されている。上記の一方の山部半体２ａは、谷部１の一方の側端から外側方（谷部１と反対側）の斜め上方に向かって突出する傾斜部３と、この傾斜部３の上端から外側方（谷部１と反対側）に向かって略水平に突出する頂部２３と、この頂部２３の端部から上方に向かって突出する断面略逆Ｕ字状の嵌合部２４とから構成されている。また、他方の山部半体２ｂは、谷部１の一方の側端から外側方（谷部１と反対側）の斜め上方に向かって突出する傾斜部３と、この傾斜部３の上端から外側方（谷部１と反対側）に向かって略水平に突出する頂部２３と、この頂部２３の端部から上方に向かって突出する断面略倒Ｌ字状の被嵌合部２５とから構成されている。
【００１４】
図３に示すように、本発明のタイトフレームＢは矩形状（帯状）の鋼板などの金属板を折り曲げ加工して形成されるものであって、断面逆Ｕ字状の固定突部６と、固定突部６の両方の下端から外側（側方）に向かって突出する平板状の固定部１６、１６と、各固定部１６の端部から上側に向かって突出する被嵌合係止部１０とを備えて形成されている。固定突部６は略水平板状の頂部８と、頂部８の両側端から外側方（頂部８と反対側）の斜め下方に向かって突出する脚部３２、３２とを備えて形成されており、脚部３２の下端に固定部１６が延設されている。また、被嵌合係止部１０は固定部１６の端部から上側に向かって延設される突出片１１と、突出片１１の端部（上端）に延設される被係止部１２とを備えて形成されている。被係止部１２はその上下方向の略中央部が固定突部６の方に向かって突出する断面略く字状又は逆く字状に形成されている。
【００１５】
そして、本発明の折板屋根を形成するあたっては、次のようにして施工することができる。まず、複数個のタイトフレームＢ、Ｂ…を建物の母屋などの屋根下地の上に固定する。このとき、タイトフレームＢの固定部１６を屋根下地の上に載せ、固定部１６を溶接などにより屋根下地に接合することによって、タイトフレームＢを屋根下地に固定することができる。タイトフレームＢは屋根下地の長手方向に並べて複数個取り付けることができ、これにより、屋根下地の長手方向（屋根の傾斜方向と直交する方向）のほぼ全長にわたってタイトフレームＢを並設することができる。また、この場合、固定突部６の頂部８の幅方向が屋根下地の長手方向と一致している。そして、隣り合うタイトフレームＢ、Ｂの端部に設けた被嵌合係止部１０、１０同士を接合する。このように隣接する被嵌合係止部１０、１０を接合するにあたっては、突出片１１、１１の外面同士を接触させると共に被係止部１２、１２の先端（上端）同士を接触させるものであり、これにより、隣接する被嵌合係止部１０、１０を合掌させた状態で接合して近接することができる。
【００１６】
次に、屋根の傾斜方向に並設された複数本の屋根下地の上に一枚の折板屋根材Ａを架設する。このとき、屋根下地に取り付けた上記タイトフレームＢに折板屋根材Ａを上側から被せるように配置し、屋根下地に取り付けた上記タイトフレームＢの隣り合う固定突部６、６の間に上記折板屋根材Ａの谷部１を位置させて上記タイトフレームＢの固定部１６の上に載置する。このとき、図４（ａ）に示すように、接合して近接した状態の被嵌合係止部１０、１０に折板屋根材Ａの谷部１に形成した嵌合係止部９を上側から嵌合し、被嵌合係止部１０の被係止部１２の下側に嵌合係止部９の係止部９ａを係止する。このようにして折板屋根材Ａを谷部１の部分でタイトフレームＢに連結して取り付ける。また、上記折板屋根材Ａの被嵌合部２５を設けた方の山部半体２ｂの頂部２３は固定突部６の頂部８の上側に配置する。
【００１７】
次に、上記とは別の他の折板屋根材Ａを屋根の傾斜方向に並設された複数本の屋根下地の上に架設する。ここで、新たに架設する折板屋根材Ａは上記既設の折板屋根材Ａに隣接して配置するものであり、これにより、上記の固定突部６、６のうちの一方を挟んで折板屋根材Ａ、Ａが隣り合う状態となる。また、新たに架設する折板屋根材Ａは、上記と同様に、屋根下地に取り付けたタイトフレームＢに上側から被せるように配置し、屋根下地に取り付けたタイトフレームＢの隣り合う固定突部６、６の間に谷部１を位置させると共に上記と同様にして嵌合係止部９と被嵌合係止部１０とを嵌合して弾性的に係止する。また、新たに架設する折板屋根材Ａの既設の折板屋根材Ａに近い方の山部半体２ａの嵌合部２４を、既設の折板屋根材Ａの上記山部半体２ｂの被嵌合部２５に上側から嵌め込む。これにより、新たに架設する折板屋根材Ａの嵌合部２４の内側に既設の折板屋根材Ａの被嵌合部２５を位置させ、この後、新たに架設した折板屋根材Ａの嵌合部２４を折り曲げて既設の折板屋根材Ａの被嵌合部２５の下側に係止させる。このようにして隣接する折板屋根材Ａ、Ａの山部半体２ａ、２ｂ同士をはぜ締め（馳締め）により接合することによって、隣接する山部半体２ａ、２ｂとを接続して山部２２を形成する。尚、はぜ締めの代わりに、ボルト締めなどの連結方法を採用しても良い。また、タイトフレームＢの頂部８に吊子を突設してこの吊子も上記はぜ締めにしてもよい。そして、このようにして複数枚の折板屋根材Ａ、Ａ…を順次接続しながら敷設していくことにより、図１に示すように、山部２２と谷部１とが交互に連続して連なった本発明の折板屋根を形成することができる。
【００１８】
本発明の折板屋根では、折板屋根材Ａの谷部１に嵌合係止部９を設けると共にタイトフレームＢの固定部１６に被嵌合係止部１０を設け、嵌合係止部９と被嵌合係止部１０とを嵌合して係止することにより、折板屋根材ＡとタイトフレームＢとを連結するので、折板屋根材Ａの上部の山部２２での固定（はぜ締めやボルト締め）に加えて、折板屋根材Ａの底部の谷部１での固定も組み合わせることができ、タイトフレームＢ及び屋根下地に対する折板屋根材Ａの取付強度を高めることができる。従って、図５に示す従来例の場合、施工後の折板屋根材Ａに負圧がかかって、波線で示すように、谷部１が浮き上がってしまうおそれがあるが、本発明では、谷部１が負圧によって浮き上がらないようにすることができる。また、タイトフレームＢ、Ｂが左右に分割し、被嵌合係止部１０、１０が合掌形状に接合するなどして近接されているので、接合して近接した状態の被嵌合係止部１０、１０を互いに競り合わせることができ、負圧に対する折板屋根材Ａの取付強度を高めることができる。また、左右に分割されたタイトフレームＢの被嵌合係止部１０、１０を接合するので、タイトフレームＢの中間部分に複数の被嵌合係止部１０を形成する必要が無く、タイトフレームＢの加工が簡単でコストを抑えることができる。
【００１９】
尚、被嵌合係止部１０の形状は特に限定されず、嵌合係止部９に嵌合して係止することができれば良く、例えば、図４（ｂ）に示すものでは、被嵌合係止部１０は固定部１６の端部から上側に向かって延設される突出片１１と、突出片１１の端部（上端）に延設される被係止部１２とを備えて形成されているが、被係止部１２は突出片１１の上端から固定突部６側の斜め下方に向かって突出して形成されている。そして、この場合、隣接する被嵌合係止部１０、１０は突出片１１、１１の外面同士を接触させることによって、合掌状態に接合されるものであり、また、被係止部１２の先端（下端）に係止部９ａを係止することによって、嵌合係止部９と被嵌合係止部１０とを嵌合して係止し、折板屋根材ＡとタイトフレームＢとを連結することができる。
【図面の簡単な説明】
【００２０】
【図１】本発明の折板屋根の実施の形態の一例を示す一部の断面図である。
【図２】本発明の折板屋根を形成する際に用いられる折板屋根材の実施の形態の一例を示す斜視図である。
【図３】本発明のタイトフレームの実施の形態の一例を示す斜視図である。
【図４】（ａ）（ｂ）は本発明の折板屋根の実施の形態の一例を示す一部の拡大図である。
【図５】従来例を示す一部の断面図である。
【符号の説明】
【００２１】
１  谷部
２  山部半体
６  固定突部
９  嵌合係止部
１０  被嵌合係止部
１６  固定部
Ａ  折板屋根材
Ｂ  タイトフレーム
【図１】
0005180600.tif 000002
【図２】
0005180600.tif 000003
【図３】
0005180600.tif 000004
【図４】
0005180600.tif 000005
【図５】
0005180600.tif 000006